(57)【要約】【課題】アプリケーションの維持開発等に費用と時間を要することなく、しかも、情報の漏洩を低減できるウェブシステムを提供することにある。【解決手段】コンテンツサーバ３０は、画面のレイアウトを定義する画面レイアウトファイル３４と、画面レイアウトファイル３４に対応付けられて構成され、データベースから必要な情報を取り出すための動作を記述した動作指示ファイル３６とを格納する。アプリケーションサーバ１０は、処理装置１２、データを蓄積したデータベース１４を備える。処理装置１２は、クラアイント側のブラウザからの指示に応じて、コンテンツサーバ３０から、画面レイアウトファイル３４と、動作指示ファイル３６とを取得し、両者を関連づけた上で、さらに、データベース１４から必要とするデータを読み出した後、クライアント２０側に送信する。【選択図】  図１
2008015961.tif 000002
【特許請求の範囲】
【請求項１】
画面のレイアウトを定義する画面レイアウトファイルと、前記画面レイアウトファイルに対応付けられて構成され、データベースから必要な情報を取り出すための動作を記述した動作指示ファイルとを格納するコンテンツサーバと、
処理装置と、データを蓄積したデータベースを備えるアプリケーションサーバとから構成され、
前記処理装置は、クラアイント側のブラウザからの指示に応じて、前記コンテンツサーバから、前記画面レイアウトファイルと、前記動作指示ファイルとを取得し、両者を関連づけた上で、さらに、前記データベースから必要とするデータを読み出した後、前記クライアント側に送信することを特徴とするウェブシステム。
【請求項２】
請求項１記載のウェブシステムにおいて、
前記アプリケーションサーバは、前記クライアントから読み出された時のＵＲＬの内容により、前記コンテンツサーバを呼び出すときの情報を算出することを特徴とするウェブシステム。
【請求項３】
請求項１記載のウェブシステムにおいて、
前記アプリケーションサーバは、前記クライアントから読み出された時のＵＲＬ、前記コンテンツサーバを呼び出すときの情報を算出する方法を、アプリケーションサーバの内部若しくは前記データベースに格納することを特徴とするウェブシステム。
【発明の詳細な説明】
【技術分野】
【０００１】
本発明は、ウェブシステムに関する。
【背景技術】
【０００２】
データベースに格納されたデータをウェブを介して提供する一般的なウェブシステムでは、サーバ内にアプリケーションを格納し、このアプリケーションによりデータベースにアクセスして、必要な情報をユーザに提供している。しかし、各種の情報を提供するには、その提供する情報に応じたアプリケーションを用意する必要があり、アプリケーションの開発維持に費用と時間を要するものであった。
【０００３】
それに対して、最近、ＡＳＰ（アプリケーション・サービス・プロバイダ）サービスが提供されつつある。ＡＳＰサービスでは、プロバイダが複数の汎用的なアプリケーションを提供し、アプリケーションの開発維持等はプロバイダが行うため、サーバの管理者やシステムの管理者が不要となる。そして、ＡＳＰサービスにおけるセキュリティ向上策としては、種々の物が提案されている（例えば、特許文献１参照）。
【０００４】
【特許文献１】特開２００４−３１０３５６号公報
【発明の開示】
【発明が解決しようとする課題】
【０００５】
ここで、一般的なウェブシステムでは、サーバが社内に設置される場合、データベースも社内に設置されるため、データベース内の社内情報の漏洩の問題は殆ど生じないものである。
【０００６】
一方、ＡＳＰサービスでは、データはプロバイダの用意したデータベース内に格納され、このデータベースは社外に設置されるため、データベース内に社内情報を格納した場合、その漏洩が問題となる。特許文献１に記載のものは、データのセキュリティに関するものであるが、ＡＳＰサービスにおける顧客情報の漏洩の問題は解決できないものである。
【０００７】
本発明の目的は、アプリケーションの維持開発等に費用と時間を要することなく、しかも、情報の漏洩を低減できるウェブシステムを提供することにある。
【課題を解決するための手段】
【０００８】
（１）上記目的を達成するために、本発明は、画面のレイアウトを定義する画面レイアウトファイルと、前記画面レイアウトファイルに対応付けられて構成され、データベースから必要な情報を取り出すための動作を記述した動作指示ファイルとを格納するコンテンツサーバと、処理装置と、データを蓄積したデータベースを備えるアプリケーションサーバとから構成され、前記処理装置は、クラアイント側のブラウザからの指示に応じて、前記コンテンツサーバから、前記画面レイアウトファイルと、前記動作指示ファイルとを取得し、両者を関連づけた上で、さらに、前記データベースから必要とするデータを読み出した後、前記クライアント側に送信するようにしたものである。  
かかる構成により、アプリケーションの維持開発等に費用と時間を要することなく、しかも、情報の漏洩を低減できるものとなる。
【０００９】
（２）上記（１）において、好ましくは、前記アプリケーションサーバは、前記クライアントから読み出された時のＵＲＬの内容により、前記コンテンツサーバを呼び出すときの情報を算出するものである。
【００１０】
（３）上記（１）において、好ましくは、前記アプリケーションサーバは、前記クライアントから読み出された時のＵＲＬ、前記コンテンツサーバを呼び出すときの情報を算出する方法を、アプリケーションサーバの内部若しくは前記データベースに格納するものである。
【発明の効果】
【００１１】
本発明によれば、アプリケーションの維持開発等に費用と時間を要することなく、しかも、情報の漏洩を低減できるものとなる。
【発明を実施するための最良の形態】
【００１２】
以下、図１〜図９を用いて、本発明の一実施形態によるウェブシステムの構成及び動作について説明する。  
最初に、図１を用いて、本実施形態によるウェブシステムのシステム構成について説明する。  
図１は、本発明の一実施形態によるウェブシステムのシステム構成を示すブロック図である。
【００１３】
アプリケーションサーバ１０と、コンテンツサーバ３０とは、インターネットによって接続されている。アプリケーションサーバ１０と、クライアントＰＣ２０とは、ＬＡＮ，インターネット，イントラネット等によって接続されている。
【００１４】
ここで、アプリケーションサーバ１０は、特定の会社の社内のシステムである。クライアントＰＣ２０は、その会社に所属する社員が社員としてアクセス可能なＰＣである。コンテンツサーバ３０は、その会社に対しては、社外に位置し、ＡＳＰ（アプリケーション・サービス・プロバイダ）等によって構築されたシステムである。
【００１５】
アプリケーションサーバ１０は、処理装置１２と、データベース１４と、一時記憶装置１６とを備えている。データベース１４の中には、社員データ等の社内情報が蓄積されている。
【００１６】
コンテンツサーバ３０は、処理装置３２と、画面レイアウトファイル３４と、動作指示ファイル３６とを備えている。
【００１７】
アプリケーションサーバ１０の処理装置１２は、クライアントＰＣ２０のウェブブラウザ２２を用いたユーザからのリクエストを受け付ける。リクエストの内容としては、例えば、社員データを検索して、所定の資格を有する者を検索するというような資格検索があげられる。資格検索のリクエストが、ユーザより出されると、処理装置１２は、例えば、どのような資格を検索するかの資格検索のメニュー画面を、回答画面として、クライアントＰＣ２０に返し、クライアントＰＣ２０のウェブブラウザ２２に表示して、ユーザの選択を促すことができる。
【００１８】
アプリケーションサーバ１０の処理装置１２は、クライアントＰＣ２０のウェブブラウザ２２を用いたユーザからのリクエストに基づいて、そのリクエストを実行するためのコンテンツを、コンテンツサーバ３０から取得する。具体的には、アプリケーションサーバ１０の処理装置１２は、コンテンツサーバ３０の処理装置３２にアクセスし、画面レイアウトファイル３４と、動作指示ファイル３６とから、ユーザのリクエストに応える画面レイアウトファイルと、動作指示ファイルとを取得する。取得した画面レイアウトファイルと、動作指示ファイルとは、一時記憶装置１６に一時的に格納される。
【００１９】
処理装置１２は、ユーザからの検索等のリクエストに応じて、一時記憶装置１６に一時的に格納された画面レイアウトファイルと動作指示ファイルとを用い、さらに、データベース１４の所望のデータを用いて、ユーザの検索に対するウェブ・ページ・コンテンツを生成し、回答画面をクライアントＰＣ２０に送って、Ｗｅｂブラウザ２２に表示することができる。
【００２０】
ここで、本実施形態の特徴とする点は、ウェブ・ページ・コンテンツを生成するためのファイルとして、１）画面レイアウトファイル３４と、２）動作指示ファイル３６の２つのファイルを用いていることである。画面レイアウトファイル３４は、画面のレイアウトを定義しているファイルであり、例えば、ＨＴＭＬ形式で記述されている。画面レイアウトファイル３４は、ウェブ・ページ・コンテンツのデザイナーが考えた表示画面のレイアウトを表示するに十分な内容である。動作指示ファイル３６は、ユーザからのリクエストに応じて、必要な情報をデータベース１４から取り出すための動作を記述したファイルであり、例えば、ＸＭＬ形式で記述されている。なお、画面レイアウトファイル３４，動作指示ファイル３６，データベース１４の構成については、図２〜図９を用いて後述する。
【００２１】
ここで、画面レイアウトファイル３４と、動作指示ファイル３６とは、アプリケーションソフトに相当するようなものであり、ＡＳＰ（アプリケーション・サービス・プロバイダ）によって構築されるものであり、汎用性のあるものである。アプリケーションサーバ１０のシステム管理者等は、コンテンツサーバ３０の管理にはノータッチであり、ＡＳＰ（アプリケーション・サービス・プロバイダ）が提供する画面レイアウトファイル３４や動作指示ファイル３６を対価を支払うことで利用可能となっている。
【００２２】
一方、データベース１４は、アプリケーションサーバ１０に接続され、社内情報等を格納するものであるから、社外からは容易にアクセスできないようなシステムが構築されている。
【００２３】
従って、アプリケーションソフトに相当する画面レイアウトファイルや動作指示ファイルの維持開発等は、ＡＳＰ（アプリケーション・サービス・プロバイダ）に一任できるので、アプリケーションサーバ１０の管理元は、アプリケーションの維持開発等に費用や時間を要することはないものである。一方、社内情報は、社内のデータベース１４に格納されているので、情報の漏洩を低減できるものとなる。
【００２４】
次に、図２〜図９を用いて、本実施形態によるウェブシステムによるアプリケーションとして、資格検索を一例にして、画面レイアウトファイル３４や動作指示ファイル３６の具体例について説明する。図２〜図５により、資格検索の第１ステップを、図６〜図９により、資格検索の第２のステップの画面レイアウトファイル３４や動作指示ファイル３６の具体例について説明する。
【００２５】
最初に、図２を用いて、本実施形態によるウェブシステムにて用いる画面レイアウトファイル３４の一例について説明し、また、図３を用いて、本実施形態によるウェブシステムにて用いる動作指示ファイル３６の一例について説明する。  
図２は、本発明の一実施形態によるウェブシステムにて用いる画面レイアウトファイルの一例の説明図である。図２（Ａ）は、画面レイアウトファイル３４の内容を示し、図２（Ｂ）は、画面の表示例を示している。また、図３は、本発明の一実施形態によるウェブシステムにて用いる動作指示ファイルの一例の説明図である。
【００２６】
図２，図３において、図２（Ａ）の画面レイアウトファイル３４の太枠線で囲まれた部分（ａ１）は、図２（Ｂ）の太枠線部分（ａ２）及び図３の動作指示ファイル３６の太枠線部分（ａ３）に対応している。
【００２７】
図２（Ａ）の太枠線部分（ａ１）では、「<!--Block name="selectlist"-->」とＨＴＭＬ形式で記述しており、このブロック（ａ１）の名称が「selectlist」であることを定義している。このブロック（ａ１）の開始の識別タグである「<!--Block name="selectlist"-->」の中で、「selectlist」というブロックの名称を定義している。一方、図３の太枠線部分（ａ３）では、「<BlockName>selectlist<BlockName>」とＸＭＬ形式で記述して、同じ名称（「selectlist」）により、図２（Ａ）の太枠線部分（ａ１）と、図３の太枠線部分（ａ３）とを対応付けている。
【００２８】
図２（Ａ）の太枠線部分（ａ１）と図２（Ｂ）の太枠線部分（ａ２）とは対応するものであり、図２（Ａ）の太枠線部分（ａ１）では、図２（Ｂ）に示す表示画面の例の中で、項目「資格検索メニュー」の入力欄（四角い枠）の右側の下向きの黒三角により、「資格検索メニュー」の入力欄に入力可能なデータ（データ名：#D000#）を選択できるようにしている。一方、ＸＭＬ形式記述された図３の動作指示ファイル３６にて、「SELECT 資格 FROM 資格マスター」と記述することで、データベース１４の中にある「資格マスター」というファイルの中から、検索対象の「資格」を選択することを指示している。
【００２９】
ここで、図４を用いて、本実施形態によるウェブシステムにて用いるデータベース１４のファイル構成について説明し、また、図５を用いて、本実施形態によるウェブシステムにて生成される回答画面の一例について説明する。  
図４は、本発明の一実施形態によるウェブシステムにて用いるデータベースのデータ構成の説明図である。また、図５は、本発明の一実施形態によるウェブシステムにて生成される回答画面の説明図である。図５（Ａ）は、ＨＴＭＬ形式で記述された回答画面のファイルの内容を示し、図５（Ｂ）は、回答画面の表示例を示している。
【００３０】
図４に示すように、データベース１４の中には、「資格マスター」というファイルがあり、その中には、「資格」として、「車輌系建設機械の運転技能講習」等の資格データが格納されている。図２（Ａ）に示した（データ名：#D000#）は、「資格マスター」というファイルの中の、フィールド番号を示しており、「資格」を示している。
【００３１】
次に、処理装置１２は、画面レイアウトファイル３４に格納された図２（Ａ）に示した画面レイアウトファイルと、動作指示ファイル３６に格納された図３に示した動作指示ファイルとに基づいて、図５（Ａ）に示すような回答画面ファイルを作成し、インターネット等を経由して、ユーザのクライアント２０に送信する。送信された回答画面ファイルは、Ｗｅｂブラウザ２２によって、図５（Ｂ）に示すように回答画面として表示される。
【００３２】
すなわち、図５（Ｂ）の回答画面の中で、項目「資格検索メニュー」の入力欄（四角い枠）の右側の下向きの黒三角をクリックすると、そのリクエストがインターネットを介して、サーバ１０に送られ、処理装置１２は、図２（Ａ）の画面レイアウトファイル３４から「資格」の入力欄に入力可能なデータが、「データ名：#D000#」のデータであることを取得し、図３の動作指示ファイル３６の「SELECT 資格 FROM 資格マスター」との記述により、データベース１４の中にある「資格マスター」というファイルの中から、「資格」を選択することで、図５（Ｂ）に示すような、「車輌系建設機械の運転技能講習」等と表示されるプルダウンメニューを表示する。このとき、回答画面ファイルは、図５（Ａ）に示すように、太枠線部分（ａ４）では、データベース１４から取り込んだ「<OPTION value="車輌系建設機械の運転技能講習">車輌系建設機械の運転技能講習</OPTION>」や、「<OPTION value="フォークリフト運転技能講習">フォークリフト運転技能講習</OPTION>」等が記載されている。これによって、回答画面には、「車輌系建設機械の運転技能講習」や、「フォークリフト運転技能講習」と表示されるプルダウンメニューが表示され、図５（Ｂ）の太枠線部分（ａ５）に示すように、その中から、「車輌系建設機械の運転技能講習」を選択することができる。
【００３３】
次に、図６〜図９により、資格検索メニューから、「車輌系建設機械の運転技能講習」を選択した場合の、本実施形態のウェブシステムの動作について説明する。
【００３４】
図６は、本発明の一実施形態によるウェブシステムにて用いる画面レイアウトファイルの一例の説明図である。図６（Ａ）は、画面レイアウトファイル３４の内容を示し、図６（Ｂ）は、画面の表示例を示している。また、図７は、本発明の一実施形態によるウェブシステムにて用いる動作指示ファイルの一例の説明図である。
【００３５】
図６，図７において、図６（Ａ）の画面レイアウトファイル３４の太枠線で囲まれた部分（ｂ１）は、図６（Ｂ）の太枠線部分（ｂ２）及び図７の動作指示ファイル３６の太枠線部分（ｂ３）に対応している。
【００３６】
図６（Ａ）の太枠線部分（ｂ１）では、「<!--Block name="detale"-->」とＨＴＭＬ形式で記述しており、このブロック（ｂ１）の名称が「detale」であることを定義している。このブロック（ａ１）の開始の識別タグである「<!--Block name="detale"-->」の中で、「detale」というブロックの名称を定義している。一方、図７の太枠線部分（ｂ３）では、「<BlockName>detale<BlockName>」とＸＭＬ形式で記述して、同じ名称（「detale」）により、図６（Ａ）の太枠線部分（ｂ１）と、図７の太枠線部分（ｂ３）とを対応付けている。
【００３７】
図６（Ａ）の太枠線部分（ｂ１）と図６（Ｂ）の太枠線部分（ｂ２）とは対応するものであり、図６（Ａ）の太枠線部分（ｂ１）では、図６（Ｂ）に示す表示画面の例の中で、項目「名前」，「所属」，「取得年月日」の表示欄に、それぞれのデータ（データ名：#D000#，#D001#，#D002#）を表示できるようにしている。一方、ＸＭＬ形式記述された図７の動作指示ファイル１６にて、「SELECT 名前，所属，取得年月日 FROM 社員マスター」と記述することで、データベース１８の中にある「社員マスター」というファイルの中から、「名前，所属，取得年月日」を選択することを指示している。
【００３８】
ここで、図８を用いて、本実施形態によるウェブ・ページ・コンテンツ生成システムにて用いるデータベース１８のファイル構成について説明し、また、図９を用いて、本実施形態によるウェブ・ページ・コンテンツ生成システムにて生成される回答画面の一例について説明する。  
図８は、本発明の一実施形態によるウェブ・ページ・コンテンツ生成システムにて用いるデータベースのデータ構成の説明図である。また、図９は、本発明の一実施形態によるウェブ・ページ・コンテンツ生成システムにて生成される回答画面の説明図である。図９（Ａ）は、ＨＴＭＬ形式で記述された回答画面のファイルの内容を示し、図９（Ｂ）は、回答画面の表示例を示している。
【００３９】
図８に示すように、データベース１８の中には、「社員マスター」というファイルがあり、その中には、「名前」，「所属」，「取得年月日」，「資格」の各項目に関するデータがそれぞれ格納されている。図６（Ａ）に示した（データ名：#D000#，#D001#，#D002#）は、「社員マスター」というファイルの中の、フィールド番号を示しており、それぞれ、「名前」，「所属」，「取得年月日」のフィールドに対応している。
【００４０】
次に、処理装置１２は、画面レイアウトファイル１４に格納された図６（Ａ）に示した画面レイアウトファイルと、動作指示ファイル１６に格納された図７に示した動作指示ファイルとに基づいて、図９（Ａ）に示すような回答画面ファイルを作成し、インターネット等を経由して、ユーザのクライアント２０に送信する。送信された回答画面ファイルは、Ｗｅｂブラウザ２２によって、図９（Ｂ）に示すように回答画面として表示される。
【００４１】
すなわち、図９（Ｂ）に示すように、「名前」，「所属」，「取得年月日」のそれぞれのデータが表示される。図９（Ｂ）の太枠線部分（ｂ５）は、回答画面の資格取得一覧の表示例であり、このとき、回答画面ファイルは、図９（Ａ）の太枠線部分（ｂ４）のようになっている。
【００４２】
次に、図１０及び図１１を用いて、本実施形態によるウェブシステムにおけるクライアントから読み出された時のＵＲＬの内容により、コンテンツサーバを呼び出すときの情報の算出方法について説明する。
【００４３】
図１０及び図１１は、本発明の一実施形態によるウェブシステムにおけるコンテンツサーバの呼び出し情報の算出方法を示すフローチャートである。
【００４４】
図１０は、第１の呼び出し方法を示し、図１１は、第２の呼び出し方法を示している。
【００４５】
第１の呼び出し方法では、図１０のステップＳ１０において、アプリケーションサーバ１０の処理装置１２は、
クライアント２０からの呼び出しＵＲＬを取得する。
【００４６】
ここでは、例えば、呼び出しＵＲＬが、hbf-server/aspjump/aspserver.com/mitsumo/top.htmとする。
【００４７】
次に、ステップＳ２０において、処理装置１２は、サーバ１０に格納されている外部設定ファイルの中にあるdispatchを参照する。
【００４８】
ステップＳ２０の例では、dispatch＝hbf-server/aspjumpと設定されることから、hbf-server/aspjumpという内容を一時記憶装置にdispachデータとして登録する。
【００４９】
次に、ステップＳ３０において、処理装置１２は、ステップＳ１０で呼び出したＵＲＬの先頭が、一時記憶装置に登録された、dispatchデータの内容であるか否かを判定する。
【００５０】
dispatch登録データであれば、ステップＳ４０において、外部サーバに接続可能とし、dispatch登録データでなければ、ステップＳ５０において、
外部サーバへの接続は拒絶し、内部サーバに対する接続のみを可能とする。これによって、予め登録された外部サーバへの接続のみが可能となり、
データベース１４のデータを不用意に加工されたり、削除されたりすることを回避できる。
【００５１】
ステップＳ３０の判定で、外部サーバへの接続が可能とされると、ステップＳ６０において、処理装置１２は、dispatch移行のデータを外部ＵＲＬとする。
【００５２】
すなわち、上述の例では、外部ＵＲＬを、hbf-server/aspjump/aspserver.com/itsumo/top.htmとする。
【００５３】
第２の呼び出し方法では、図１１のステップＳ１０において、アプリケーションサーバ１０の処理装置１２は、クライアント２０からの呼び出しＵＲＬを取得する。
【００５４】
ここでは、例えば、呼び出しＵＲＬが、hbf-server/asp/mitsumo/top.htmとする。
【００５５】
次に、ステップＳ２０’において、処理装置１２は、外部設定ファイルのなかにある、外部ＵＲＬデータを参照する。
【００５６】
ステップＳ１０の例では、hbf-server/asp/mitsumo＝aspserver.com/mitsumoや、hbf-server/asp/jinji＝global.com/jinjiと
いう内容が、外部設定ファイルに記述されており、サーバ１０は、外部ＵＲＬデータとして、上記２つのペアーのＵＲＬである
ことを、外部URLリストとして、一時記憶装置に読み込む。
【００５７】
次に、ステップＳ３０’において、処理装置１２は、ステップＳ１０で呼び出したＵＲＬの先頭が、外部ＵＲＬリストに登録されているか否かを判定する。
【００５８】
登録されていれば、ステップＳ４０において、外部サーバに接続可能とし、登録されていなければ、ステップＳ５０において、外部サーバへの接続は拒絶し、内部サーバに対する接続のみを可能とする。
【００５９】
これによって、不用意に、登録された外部サーバへの接続のみが可能となり、データベース１４のデータを不用意に加工されたり、削除されたりすることを回避できる。
【００６０】
ステップＳ３０’の判定で、外部サーバへの接続が可能とされると、ステップＳ６０において、処理装置１２は、dispatch移行のデータを外部ＵＲＬとする。
【００６１】
すなわち、上述の例では、外部ＵＲＬを、hbf-server/aspjump/aspserver.com/mitsumo/top.htmとする。
【００６２】
以上説明したように、本実施形態によれば、アプリケーションソフトに相当する画面レイアウトファイルや動作指示ファイルの維持開発等は、
ＡＳＰ（アプリケーション・サービス・プロバイダ）に一任できるので、アプリケーションサーバ１０の管理元は、アプリケーションの維持開発等に費用や時間を要することはないものである。
【００６３】
一方、社内情報は、社内のデータベース１４に格納されているので、情報の漏洩を低減できるものとなる。したがって、アプリケーションの維持開発等に費用と時間を要することなく、
しかも、情報の漏洩を低減できるものとなる。
【図面の簡単な説明】
【００６４】
【図１】本発明の一実施形態によるウェブシステムのシステム構成を示すブロック図である。
【図２】本発明の一実施形態によるウェブシステムにて用いる画面レイアウトファイルの一例の説明図である。
【図３】本発明の一実施形態によるウェブシステムにて用いる動作指示ファイルの一例の説明図である。
【図４】本発明の一実施形態によるウェブシステムにて用いるデータベースのデータ構成の説明図である。
【図５】本発明の一実施形態によるウェブシステムにて生成される回答画面の説明図である。
【図６】本発明の一実施形態によるウェブシステムにて用いる画面レイアウトファイルの一例の説明図である。
【図７】本発明の一実施形態によるウェブシステムにて用いる動作指示ファイルの一例の説明図である。
【図８】本発明の一実施形態によるウェブ・ページ・コンテンツ生成システムにて用いるデータベースのデータ構成の説明図である。
【図９】本発明の一実施形態によるウェブ・ページ・コンテンツ生成システムにて生成される回答画面の説明図である。
【図１０】本発明の一実施形態によるウェブシステムにおけるコンテンツサーバの呼び出し情報の算出方法を示すフローチャートである。
【図１１】本発明の一実施形態によるウェブシステムにおけるコンテンツサーバの呼び出し情報の算出方法を示すフローチャートである。
【符号の説明】
【００６５】
１０…アプリケーションサーバ
１２，３２…処理装置
１４…データベース
２０…クライアント
２２…Ｗｅｂブラウザ
３０…コンテンツサーバ
３４…画面レイアウトファイル
３６…動作指示ファイル
【図１】
2008015961.tif 000003
【図２】
2008015961.tif 000004
【図３】
2008015961.tif 000005
【図４】
2008015961.tif 000006
【図５】
2008015961.tif 000007
【図６】
2008015961.tif 000008
【図７】
2008015961.tif 000009
【図８】
2008015961.tif 000010
【図９】
2008015961.tif 000011
【図１０】
2008015961.tif 000012
【図１１】
2008015961.tif 000013